(57)【要約】【課題】粒状内容物を定数量だけ確実に取り出すことができる定数量取り出し機能を有し、かつ部品点数の少ないスライド式定数取り出し容器を提供する【解決手段】内容物収納室１７を有するケース本体２と定数量以下の内容物５４だけを収容可能な定数量収容室１８を有するキャップ３とを相対摺動変位が可能に係合させて備え、内容物収納室１７と定数量収容室１８との間に粒状の内容物５４を通過させることができる形状の内容物供給孔を有する仕切り板２１と内容物供給孔を開閉可能なシャッター部材とを配置し、ケース本体２とキャップ３は、内容物供給孔が閉じてキャップ３の定数量収容室１８が外部に開口する位置との間に相対摺動変位可能である【選択図】    図５
2005015007.tif 000002
【特許請求の範囲】
【請求項１】
内容物収納室を有するケース本体と定数量以下の内容物だけを収容可能な定数量収容室を有するキャップとを相対摺動変位が可能に係合させて備え、前記内容物収納室と前記定数量収容室との間に粒状の内容物を通過させることができる形状の内容物供給孔を有する仕切り板と前記内容物供給孔を開閉可能なシャッター部材とを配置し、前記ケース本体と前記キャップとは、前記内容物供給孔が前記内容物が通過可能に開いた位置と前記内容物供給孔が前記内容物の通過不能に閉じて前記キャップの前記定数量収容室が前記内容物を振出可能に容器の外部に開口する位置との間に前記相対摺動変位可能であり、前記シャッター部材は前記キャップの前記開口する位置に向かう前記相対摺動変位によって接当した前記内容物に前記ケース本体の内容物収納室に向う分力を作用させ得る斜面部分を有していることを特徴とする粒状内容物定数取出容器。
【請求項２】
前記シャッター部材の前記斜面は平面または曲面であることを特徴とする請求項１記載の粒状内容物定数取出容器。
【請求項３】
前記仕切板はケース本体上に設けられ、前記シャッター部材は前記キャップ上に設けられていることを特徴とする請求項１記載の粒状内容物定数取出容器。
【請求項４】
前記キャップの定数量収容室は収容可能な内容物の数量が前記ケース本体の内容物収容室に収容可能な内容物の数量より小さいことを特徴とする請求項１記載の粒状内容物定数取出容器。
【発明の詳細な説明】
【０００１】
【産業上の利用分野】
この発明は錠剤などの粒状物の内容物を収納し、かつ定数量ずつ取り出す場合に使用する容器に関するものである。
【０００２】
【従来の技術】
嗜好品、サプリンメント、薬剤は一度の摂取量の適量が定められており、これらの粒状物は錠剤として形成され、容器に収納され、容器から取り出して使用される。
【０００３】
これらサプリメントなど、錠剤の容器には遮光性、防潤性が求められている。
【０００４】
これに対し従来の錠剤取り出し容器においては、びん形のものも箱形のものもあるが取り出す際には容器から不定量の内容物を手のひらに載せるなどして取り出し、取り出し量が少ないときは振り出し動作を繰り返し、また、取り出しすぎた場合には容器に戻す必要が生じる。
【特許文献１】昭和６１年実用新案出願公開第１０５６７５号
現在市場に出回っているタブレット系の容器は、その多くがスライド開閉式による２ピース構成であり、部品点数が少ないため容器代は安くあがるが、定量数個を取り出す機能は付加されていない。このため、サプリメント等のタブレットに使用するスライド式錠剤容器の場合、瓶形状と違い、開口部が小さく、一旦取り出し過ぎたものを容器に戻し難い上に、直接手の上に取り出した内容物を容器に戻すため、内容物を濡らしたり、不潔感も伴うことになる。
【０００５】
このようなことから粒状内容物を、定数量だけ取り出すことができる容器の開発が望まれている。
【０００６】
この発明は上記の如き事情に鑑みてなされたものであって、粒状内容物を定数量だけ確実に取り出すことができる定数量取り出し機能を有し、かつ部品点数の少ないスライド式定数取り出し容器を提供することを目的とするものである。
【０００７】
【構成】
この目的に対応して、この発明の粒状内容物定数取出容器は、内容物収納室を有するケース本体と定数量以下の内容物だけを収容可能な定数量収容室を有するキャップとを相対摺動変位が可能に係合させて備え、前記内容物収納室と前記定数量収容室との間に粒状の内容物を通過させることができる形状の内容物供給孔を有する仕切り板と前記内容物供給孔を開閉可能なシャッター部材とを配置し、前記ケース本体と前記キャップとは、前記内容物供給孔が前記内容物が通過可能に開いた位置と前記内容物供給孔が前記内容物の通過不能に閉じて前記キャップの前記定数量収容室が前記内容物を振出可能に容器の外部に開口する位置との間に前記相対摺動変位可能であり、前記シャッター部材は前記キャップの前記開口する位置に向かう前記相対摺動変位によって接当した前記内容物に前記ケース本体の内容物収納室に向う分力を作用させ得る斜面部分を有していることを特徴としている。
【０００８】
【実施の態様】
以下、この発明の詳細を一実施の態様を示す図面について説明する。
図１から図３において、１は錠剤容器である。錠剤容器１は閉じた状態において全体として矩形状の箱状をなし、ケース本体２とキャップ３とからなり、ケース本体２は胴部４と側板５とから成っている。
【０００９】
胴部４は図２に示すように天壁板６、底壁板７、前壁板８、後壁板１１及び右側壁板１２を有し、これらの壁板で空間１３を区画している。空間１３の左側面１９は開放である。底壁板７は後述するケース本体２の内容物収容室１７とキャップ３の定数量収容室１８が重なっている場合の両者を仕切るためのケース本体２の仕切り板２１を構成するもので、その中央部に切り欠き１４が形成されている。この切り欠き１４は後述する側板５の切り欠き３２と共働してケース本体２の内容物供給口１６を構成するものである。内容物供給口１６は粒状内容物を１個ずつまたは複数個を同時に通過させることができる形状を持つものである。
【００１０】
右側壁板１２の下端からは支持板２２が下方に延出していて、支持板２２の下端に内側に向けて突出する摺動凸条２３が前後方向に設けられていて、その結果として底壁板７と摺動凸条２３との間に摺動溝条２４が前後方向に形成される。
【００１１】
一方、側板５は図３に示すように、天壁板２５、底壁板２６、前壁板２７、後壁板２８、左側壁板３１を有して浅い皿状をなし、底壁板２６の中央部に切り欠き３２が形成されている。左側壁板３１の下端からは支持板３３が下方に延出していて、支持板３３の下端に内側に向けて突出する摺動凸条３４が前後方向に設けられていて、その結果として底壁板２６と摺動凸条３４との間に摺動溝条３５が前後方向に形成される。
【００１２】
側板５からは複数の止め釘３６が突出していて、この止め釘３６が図２（ｅ）に示すように、胴部４に設けられた釘穴４０にきつく差し込まれて胴部４は側板５と組み合わせて固定されてケース本体２が形成される。胴部４と側板５が組み合わせて固定された状態では両者の天壁板６と天壁板２５、底壁板７と底壁板２６、前壁板８と前壁板２７、後壁板１１と後壁板２８とがそれぞれ突き合わされて、それぞれケース本体の天壁板、底壁板、前壁板、後壁板を形成し、かつ、右側壁板１２と左側壁板３１とが対向してほぼ矩形のケース本体２を構成する。また図５に示すように、このとき切り欠き１４と切り欠き３２とが一致して内容物供給口１６を形成し、さらに摺動溝条２４と摺動溝条３５が対向してケース本体２の両側の摺動案内溝を構成する。
【００１３】
一方、キャップ３は図４に示すように、底壁３８、前壁４１、後壁４２、右側壁４３及び左側壁４４を有し、これらの壁で空間４５を区画している。空間４５の上面４６は開放である。空間４５内にシャッター４７が固定配置されている。このシャッター４７の上面のうち下端及び中央部が平面若しくは曲面の斜面４８（この実施例においては図４ａに示すように断面が凸の円弧を示す斜面４８）で、上端は水平面４９になっている。水平面４９は上面４６と高さ位置が一致している。左右の側面４４、４３の上端の外面には摺動凸条５１、摺動溝条５２が形成され、さらに抑え肩５３が張り出して形成されている。
【００１４】
図５に示すように、キャップ３は摺動凸条５１、摺動溝条５２を利用してケース本体２の下面に摺動可能に嵌合する。このときケース本体２の内容物収容室１７とキャップ３の定数量収容室１８との間は仕切り板２１によって仕切られている。この嵌合ではキャップ３の摺動凸条５１がケース本体２の摺動溝条２４、３５に嵌合し、キャップ３の摺動溝条５２がケース本体２の摺動凸条２３に嵌合していて、キャップ３とケース本体２は摺動溝条２４、３５、摺動溝条５２に案内されて前後方向に摺動可能で、シャッター４７が内容物供給口１６を開閉する位置とキャップ３の定数量収容室１８が外部に開口する位置との間に相対変位可能である。またこの開口する位置においては、その開口５０を通して定数量収容室１８内の内容物５４を振り出し可能である。また、この相対変位の途中で内容物５４にシャッター４７の斜面４８がキャップ３内に全部若しくは部分的に位置する内容物５４と当接した場合にはシャッター４７の斜面４８は、相対変位方向に垂直な方向の分力をその当接した内容物に作用させることになる。また、キャップ３が開口５０を開口する位置に達した時にはシャッター４７の水平面４９が仕切り板２１の内容物供給口１６を完全に閉じることになる。
【００１５】
このように構成された錠剤容器１の作用は次の通りである。
ケース本体２の胴部４の開放の左側面１９から空間１３内に多数の内容物５４を供給し、その後、胴部４の釘穴４０に側板５の止め釘３６を差し込んで側板５で胴部４の開放の左側面１９を閉じ、内容物５４をケース本体２に形成された内容物収容室１７に閉じ込める。次にこのケース本体２の摺動凸条２３、摺動溝条２４、摺動凸条３４、摺動溝条３５にキャップ３の摺動溝条５２、摺動凸条５１を嵌合させてケース本体２の下面にキャップ３を摺動可能に嵌合させて取り付ける。この状態では図５ａ、ｂに示すように、ケース本体２の内容物収容室１７とキャップ３の定数量収容室１８の間に仕切り板２１があって、かつ内容物収容室１７と定数量収容室１８は内容物供給口１６によって連通している。いくつかの内容物５４は内容物供給口１６を通してケース本体２の内容物収容室１７からキャップ３の定数量収容室１８に完全に入り込んでおり、他の内容物５４のいくつかは部分的に内容物供給口１６を通して定数量収容室１８に入りかかっている。この状態で内容物５４を充填した錠剤容器１の携帯が可能となる。
【００１６】
次に内容物５４を取り出す場合には次のようにする。図５（ｃ）に示すように、キャップ３を矢印Ａで示すように前方に押す。キャップ３は摺動凸条２３に沿ってケース本体２に対して直線相対変位をする。キャップ３の定数量収容室１８内には内容物供給口１６を通して内容物５４が流れ込んでいるが、キャップ３の定数量収容室１８の容積及び形状は定数ｎだけの内容物５４を収納することができるように規定されているので、定数ｎ個だけが完全に入り込み、ｎ＋１番目の内容物５４は一部分を内容物供給口１６からのぞかせた状態になっている。キャップ３が前方に進むとシャッター４７の斜面４８が内容物５４に当接すると斜面４８の角度に応じた上向きの分力が内容物５４に作用し、斜面４８はｎ＋１番目の内容物５４を上方のケース本体２の内容物収容室１７に押し戻しつつ進む。最後にストッパー５５（図３（ａ）参照）によって規定される先端位置（図４（ｃ））で停止する。この先端位置では内容物供給口１６はシャッター４７の水平面４９で閉じられており、キャップ３の先端部分がケース本体２の端から前方にはずれて開口５０が形成されており、キャップ３の定数量収容室１８の先端部分の開口５０は内容物５４を通過させることができる幅だけ外部に開放している。そこで錠剤容器１の全体を逆さにして開放している開口５０からキャップ３内に入っていたｎ個の内容物５４を振り出すことができる。
【００１７】
このｎ個の内容物５４を振り出した後、キャップ３をケース本体２と一致する元の状態に戻せば、シャッター４７がどいて内容物供給口１６が開口し、ｎ個だけの内容物５４がケース本体２からキャップ３に入って初めの状態に戻る。
【００１８】
【発明の効果】
この発明の錠剤容器１では一度にキャップ３内に入り込み得る内容物５４の個数はｎ個に限定され、それ以上の内容物５４はケース本体２に押し戻され、キャップ３だけが外部に開放されて内容物５４を振り出すので、正しく定数量だけの内容物を取り出すことができ、それ以上の内容物５４には手を触される必要がないので、きわめて清潔である。また、この錠剤容器１はケース本体２を構成する胴部４と側板５及びキャップ３の合計３部品だけで構成されているので、部品点数もきわめて少ない。
【００１９】
以上の説明から明らかな通り、この発明によれば錠剤等の粒状内容物を定数量だけ確実に取り出すことができる定数量取り出し機能を有し、かつ部品点数の少ないスライド式定数取り出し容器を得ることができる。
【００２０】
【図面の簡単な説明】
【図１】錠剤容器を示す図で、（ａ）は正面図、（ｂ）は右側面図、（ｃ）は左側面図。
【図２】胴部を示す図で、（ａ）は正面図、（ｂ）は底面図、（ｃ）は右側面図、（ｄ）は図２（ｂ）におけるｄ部拡大図、（ｅ）は図２（ｂ）におけるｅ部拡大図。
【図３】側板を示す図で、（ａ）は正面図、（ｂ）は底面図、（ｃ）は右側面図。
【図４】キャップを示す図で、（ａ）は縦断面図、（ｂ）は平面図、（ｃ）は右側面図、（ｄ）は図４（ａ）におけるｄ−ｄ部断面図。
【図５】錠剤容器の計数動作を示す縦断面説明図。
【符号の説明】
１    錠剤容器
２    ケース本体
３    キャップ
４    胴部
５    側板
６    天壁板
７    底壁板
８    前壁板
１１  後壁板
１２  右側壁板
１３  空間
１４  切り欠き
１６  内容物供給口
１７  内容物収容室
１８  定数量収容室
１９  左側面
２１  仕切り板
２２  支持板
２３  摺動凸条
２４  摺動溝条
２５  天壁板
２６  底壁板
２７  前壁板
２８  後壁板
３１  左側壁板
３２  切り欠き
３３  支持板
３４  摺動凸条
３５  摺動溝条
３６  止め釘
３８  底壁
４０  釘穴
４１  前壁
４２  後壁
４３  右側壁
４４  左側壁
４５  空間
４６  上面
４７  シャッター
４８  斜面
４９  水平面
５０  開口
５１  摺動凸条
５２  摺動溝条
５３  抑え肩
５４  内容物
５５  ストッパー
【図１】
2005015007.tif 000003
【図２】
2005015007.tif 000004
【図３】
2005015007.tif 000005
【図４】
2005015007.tif 000006
【図５】
2005015007.tif 000007